(57)【要約】      （修正有）【課題】着用者の首を冷却する効果がある、導流機能を備える冷却服を提供する。【解決手段】衣服本体１の内側に、首回りに隣接して設けられ、着用者の首と衣服本体の内側との間に導流穴３を形成するための支持部材２を備え、冷却服の動作時、衣服本体と体との間に満たされた空気は、導流穴を通じて上方に流れ、着用者の首に吹き付けられる。【選択図】図４
0003224316.tif 000002
【実用新案登録請求の範囲】
【請求項１】
衣服本体（１）と首回りを備え、
衣服本体（１）の内側に、首回りに隣接して設けられ、着用者の首と衣服本体（１）の内側との間に導流穴（３）を形成するための支持部材（２）を備えることを特徴とする導流機能を備える冷却服。
【請求項２】
前記の導流機能を備える冷却服は、衣服本体（１）の内側に設けられた取付片（４）をさらに備え、支持部材（２）は衣服本体（１）と取付片（４）との間に設けられることを特徴とする請求項１に記載の導流機能を備える冷却服。
【請求項３】
支持部材（２）は、直線形状と円弧形状の２つの形態を有する記憶鋼板として設定されることを特徴とする請求項２に記載の導流機能を備える冷却服。
【請求項４】
記憶鋼板が円弧形状である場合、記憶鋼板の凸面側が着用者の首に当接することを特徴とする請求項３に記載の導流機能を備える冷却服。
【請求項５】
記憶鋼板が円弧形状である場合、記憶鋼板の凹面側が着用者の首に面することを特徴とする請求項３に記載の導流機能を備える冷却服。
【請求項６】
取付片（４）と衣服本体（１）との間に、支持部材（２）を取付片（４）と衣服本体（１）との間に伸縮させるための切り欠き（５）が形成されることを特徴とする請求項２に記載の導流機能を備える冷却服。
【請求項７】
支持部材（２）が円弧形状の支持板として設けられ、支持板の凹面側または凸面側が衣服本体（１）の内側に取り外し可能に設けられることを特徴とする請求項１に記載の導流機能を備える冷却服。
【請求項８】
前記の導流機能を備える冷却服は、マジックテープをさらに備え、マジックテープの子面（６１）が支持板の凹面側または凸面側に設けられ、マジックテープの母面（６２）が衣服本体（１）の内側に設けられることを特徴とする請求項７に記載の導流機能を備える冷却服。
【考案の詳細な説明】
【技術分野】
【０００１】
本考案は、冷却服の技術分野に関し、特に導流機能を備える冷却服に関する。
【背景技術】
【０００２】
現在、検索により取得される開示番号ＣＮ２０５８１３６１３Ｕの中国特許には、冷却服が開示されている。前記冷却服は、衣服に新型のファン７を備えており、通気メッシュ布２と排気口３を通じて空気の流れ通路が完成し、衣服の通気性と放熱性を高める。
着用者がこの衣服を着用すると、新型ファンの作用で、衣服と体との間に形成されたキャビティが常に空気で満たされ、それにより、着用者の体と首より下および腰より上の部分の温度を低下させる。
上記の従来の技術的解決手段には、暑い夏に着用者がこの衣服を着用して歩くと、首の後部で発汗することが多く、着用者の首が熱くなるという欠陥があるため、改善する必要がある。
【考案の概要】
【考案が解決しようとする課題】
【０００３】
本考案は、着用者の首を冷却するための導流機能を備える冷却服を提供することを目的とする。
【課題を解決するための手段】
【０００４】
本考案の上記の目的は、以下の技術的解決手段によって達成される。すなわち、
導流機能を備える冷却服は、衣服本体と、首回りと、衣服本体の内側に、首回りに隣接して設けられ、着用者の首と衣服本体の内側との間に導流穴を形成するための支持部材とを備える。
上記の技術的解決手段を採用することにより、冷却服を着用する場合、着用者の首が熱くなると、支持部材の作用で、着用者の首と衣服本体の内側との間に導流穴が形成され、さらに、衣服本体と体との間に満たされた空気は、導流穴を通過して上方に流れ、着用者の首に向かって吹き付けられる。本考案において、着用者の首の温度を下げる目的は、上記の設定により達成される。
【０００５】
本考案において、上記の導流機能を備える冷却服は、衣服本体の内側に設けられた取付片をさらに備え、支持部材は、衣服本体と取付片との間に設けられる。
上記の技術的解決手段を採用することにより、取付片の設定は支持部材のための取り付けスペースを提供し、支持部材を取り付ける場合、支持部材を衣服本体と取付片との間に設ければよい。
【０００６】
本考案において、さらに、支持部材は、直線形状と円弧形状の２つの形態を有する記憶鋼板として設定される。
上記の技術的解決手段を採用することにより、記憶鋼板が直線形状である場合、記憶鋼板は、冷却服の通常の使用を妨げないように、衣服本体の内側と着用者の首との間に位置し、記憶鋼板が円弧形状である場合、衣服本体の内側と着用者の首との間に導流穴が形成され、衣服本体と着用者の上半身との間の空気は、導流穴に沿って流れ出して着用者の首に向かって吹き付けられる。
【０００７】
本考案において、さらに、記憶鋼板が円弧形状である場合、記憶鋼板の凸面側は着用者の首に当接する。
上記の技術的解決手段を採用することにより、衣服本体の内側と着用者の首との間に２つの導流穴が形成され、さらに、衣服本体と着用者の上半身との間の空気は、２つの導流穴に沿って流れ出して着用者の首の両側に向かって吹き付けられる。
【０００８】
本考案において、さらに、記憶鋼板が円弧形状である場合、記憶鋼板の凹面側が着用者の首に面する。
上記の技術的解決手段を採用することにより、衣服本体の内側と着用者の首との間に１つの大きな導流穴が形成され、さらに衣服本体と着用者の上半身との間の空気は、導流穴に沿って流れ出して着用者の首に吹き付けられる。
【０００９】
本考案において、さらに、取付片と衣服本体との間に、支持部材を取付片と衣服本体との間に伸縮させるための切り欠きが形成される。
上記の技術的解決手段を採用することにより、支持部材の取付と交換が容易になり、設定に必要なコストが低くなる。
【００１０】
本考案において、さらに、支持部材が円弧形状の支持板として設けられ、支持板の凹面側または凸面側が衣服本体の内側に取り外し可能に設けられる。
上記の技術的解決手段を採用することにより、着用者の首と衣服本体の内側との間に導流穴を形成する必要がある場合、支持板を衣服本体の内側に取り付け、着用者の首に当接させ、その後、衣服本体の内側と着用者の首との間に導流穴を形成するが、導流穴を形成する必要がない場合、支持板を衣服本体の内側から取り外せばよい。
【００１１】
本考案において、上記の導流機能を備える冷却服は、マジックテープ（登録商標）をさらに備え、マジックテープの子面が支持板の凹面側または凸面側に設けられ、マジックテープの母面が衣服本体の内側に設けられる。
上記の技術的解決手段を採用することにより、取り外し可能な支持板が実現され、支持板を取り付ける場合、支持板の子面を衣服本体の内側の母面に接着すればよいが、支持板を衣服本体の内側から取り外す場合、支持板の子面に沿って、支持板を衣服本体の内側から剥がせばよい。
【考案の効果】
【００１２】
要約すると、本考案の有益な技術的効果は次のとおりである。すなわち、
支持部材の設定により、着用者の首と衣服本体の内側との間に導流穴が形成され、衣服本体と着用者の上半身との間に満たされた空気は、導流穴に沿って流れ出して着用者の首に向かって吹き付けられ、着用者の首の温度を下げる目的が達成される。
【図面の簡単な説明】
【００１３】
【図１】冷却服の全体構造を示す概略図である。
【図２】冷却服を着用するときの空気の流れを示す概略図である。
【図３】図１のＡ部分の拡大構造を示す概略図である。
【図４】実施例１の原理を示す概略図である。
【図５】記憶鋼板が直線形状である構造を示す概略図である。
【図６】実施例２の原理を示す概略図である。
【図７】実施例３の原理を示す概略図である。
【図８】実施例４の原理を示す概略図である。  図中、１、衣服本体、２、支持部材、３、導流穴、４、取付片、５、切り欠き、６１、子面、６２、母面である。
【考案を実施するための形態】
【００１４】
実施例１
以下、図面を参照しながら、本考案をより詳細に説明する。
図３および図４に示すように、本考案は、導流機能を備える冷却服を開示し、着用者の首に空気を流すために、支持部材２の設定により、着用者の首の後部と衣服本体１の内側との間に導流穴３が形成される。支持部材２は、衣服本体１の内側に、首回りに隣接して設けられ、首回りは、衣服の上に両肩の間に首を引っ掛ける孔およびそのエッジである。
【００１５】
図３および図４に示すように、本考案では、支持部材２を取り付けるための取付片４が設けられている。取付片４は、布片として設置され、衣服本体１の内側に縫い付けにより固定され、支持部材２は衣服本体１の内側と取付片４との間に位置する。取付片４の両長辺の中間点を結ぶ線は首回りの軸線に平行であり、取付片４の両長辺の中間点を結ぶ線は衣服本体１を２つの対称部分に分割する。
【００１６】
本考案において、取付片４は矩形状であるが、他の実施例において、取付片４はさらに円筒形状、三角柱形状、四角柱形状または五角柱形状に設けられてもよい。
本実施例において、首回りと首回り近くの取付片４の長辺との間の垂直距離は０．５ｃｍに設定されるが、他の実施例において、首回りと首回り近くの取付片４５の長辺との間の垂直距離はさらに、０．００ｃｍ、０．１０ｃｍ、０．１５ｃｍ、０．２０ｃｍ、０．２５ｃｍ、０．３０ｃｍ、０．３５ｃｍ、０．４０ｃｍ、０．４５ｃｍ、０．５５ｃｍ、０．６０ｃｍ、０．６５ｃｍ、０．７０ｃｍ、０．７５ｃｍ、０．８０ｃｍ、０．８５ｃｍ、０．９０ｃｍまたは１．００ｃｍに設定されてもよい。
【００１７】
図４および図５に示すように、支持部材２が衣服本体１の内側と着用者の首の後部との間に導流穴３を形成できるようにするために、支持部材２は記憶鋼板として設定され、記憶鋼板は直線形状と円弧形状の２つの形態を有する。
さらに、記憶鋼板は実際には、２０ｃｍの長さを有するシリコンパットブレスレットから９ｃｍを取るが、他の実施例において、さらに、記憶鋼板は実際には、２０ｃｍの長さを有するシリコンパットブレスレットから３ｃｍ、４ｃｍ、５ｃｍ、６ｃｍ、７ｃｍ、８ｃｍ、１０ｃｍ、１１ｃｍ、１２ｃｍ、１３ｃｍ、１４ｃｍまたは１５ｃｍを取ってもよい。
【００１８】
シリコンパットブレスレットに関して、ブレスレットを伸ばしてから手に叩くと、「カチッ」という音がし、手首にしっかりと固定されるため、パットブレスレットと呼ばれる。パットブレスレットはシリコンギフトの新製品であり、外国のギフトに初めて登場した。中国のシリカゲル製造技術の改良により、近年、より人気のある製品になっている。シリコンパットブレスレットは、内側が高靭性鋼板で、外側が輸入されたシリコンで覆われ、外観はシンプルである。
【００１９】
図３に示すように、支持部材２の取付と交換を容易にするために、取付片４の幅の片側と衣服本体１の内側との間に切り欠き５が形成され、切り欠き５は、支持部材２が取付片４と衣服本体１との間を水平に伸縮するために設けられる。
図４を参照すると、記憶鋼板が円弧形状である場合、記憶鋼板の凸面側は着用者の首に当接する。記憶鋼板を着用者の首の後部に当接させることにより、着用者の首と衣服本体１との間に２つの同一の導流穴３が形成される。
【００２０】
衣服本体１と着用者の体との間に比較的密閉されたキャビティを形成するために、衣服本体１の下側および衣服本体１の袖口に締めひも（図示せず）が縫い付けられている。
空気が導流穴３を介して着用者の首に可能な限り吹き付けられるようにするために、衣服本体１にキャップ本体を縫い付けることもできる。すなわち、上着にキャップ（図示せず）を設ける。
【００２１】
本実施例の実施原理は次のとおりである。すなわち、
首を冷却する必要がある場合、記憶鋼板を円弧形状に変形させ、円弧形状の凸面側を着用者の首の後部に当接させ、衣服本体１と着用者の首の後部との間に２つの同一の導流穴３が形成され、冷却服の動作により発生した空気は、導流穴３を介して着用者の首の後部に吹き付けられる。
首を冷却する必要がない場合、記憶鋼板を直線形状に変形させる。このとき、記憶鋼板は衣服本体１と着用者の首の後部との間に位置する。
【００２２】
実施例２
図６を参照すると、実施例１との相違点は、記憶鋼板が円弧形状である場合、記憶鋼板の凹面側が着用者の首に面することである。
本実施例の実施原理は次のとおりである。すなわち、
首を冷却する必要がある場合、記憶鋼板を円弧形状に変形させ、円弧形状の凹面側は着用者の首に面し、記憶鋼板の両端は着用者の首の後部に当接し、衣服本体１と着用者の首の後部との間に１つの大きな導流穴３が形成され、冷却服の動作により発生した空気は、導流穴３を介して着用者の首の後部に吹き付けられる。
首を冷却する必要がない場合、記憶鋼板を直線形状に変形させ、このとき、記憶鋼板は衣服本体１と着用者の首の後部との間に位置する。
以上の設定により、実施例１と比較して、実施例１と同一の効果が得られる。
【００２３】
実施例３
図７を参照すると、実施例１との相違点は、支持部材２が円弧形状の支持板として設けられ、支持板によって形成される円弧の長さが全円周の３分の２であることである。記憶鋼板が円弧形状の形態である場合、支持板と記憶鋼板の形状は完全に同一である。支持板は硬質プラスチックである。
【００２４】
他の実施例において、支持板によって形成される円弧の長さはさらに、全円周の１５分の５から１５分の１２の間の任意の数値であってもよい。
支持板の凹面側は、衣服本体１の内側に取り外し可能に取り付けられる。支持板を取り外し可能に取り付けるために、マジックテープが設けられ、マジックテープの子面６１は接着剤によって支持板の凹面側に取り付けられ、マジックテープの母面６２は衣服本体１の内側に取り付けられる。
他の実施例において、さらに、マジックテープの子面６１は衣服本体１の内側に取り付けられ、マジックテープの母面６２は支持板の内側に取り付けられてもよい。
【００２５】
本実施例の実施原理は次のとおりである。すなわち、
首を冷却する必要がある場合、支持板の凹面側の子面６１を衣服本体１の内側の母面６２に取り付け、支持板の凸面側を着用者の首に当接させ、衣服本体１と着用者の首との間に２つの同一の導流穴３が形成され、冷却服の動作により発生した空気は、導流穴３を介して着用者の首の後部に吹き付けられる。
首を冷却する必要がない場合、支持板を凹面側に沿って衣服本体１の内側から剥がせばよい。
以上の設定により、実施例１と比較して、実施例１と同一の効果が得られる。
【００２６】
実施例４
図８を参照すると、実施例３との相違点は、支持板の凸面側が衣服本体１の内側に取り外し可能に取り付けられ、マジックテープの子面６１が接着剤によって支持板の凸面側に取り付けられ、マジックテープの母面６２が衣服本体１の内側に取り付けられることである。
他の実施例において、さらに、マジックテープの子面６１は衣服本体１の内側に取り付けられ、マジックテープの母面６２は支持板の凸面側に取り付けられてもよい。
【００２７】
本実施例の実施原理は次のとおりである。すなわち、
首を冷却する必要がある場合、支持板の凸面側の子面６１を衣服本体１の内側の母面６２に取り付け、支持板の凸面側が着用者に面し、支持板の両端部が着用者の首に当接し、衣服本体１と着用者の首の後部との間に１つの大きな導流穴３が形成され、冷却服の動作により発生した空気は、導流穴３を介して着用者の首の後部に吹き付けられる。
首を冷却する必要がない場合、支持板を凸面側に沿って衣服本体１の内側から剥がせばよい。
以上の設定により、実施例３と比較して、実施例３と同一の効果が得られる。
【００２８】
本実施形態の実施例はいずれも本考案の好適な実施例であり、本考案の保護範囲を限定するものではなく、本考案の構造、形状、原理に基づいてなされた等価変更は、いずれも本考案の保護範囲に含まれるべきである。
【図１】
0003224316.tif 000003
【図２】
0003224316.tif 000004
【図３】
0003224316.tif 000005
【図４】
0003224316.tif 000006
【図５】
0003224316.tif 000007
【図６】
0003224316.tif 000008
【図７】
0003224316.tif 000009
【図８】
0003224316.tif 000010
【手続補正書】
【提出日】令和1年10月11日(2019.10.11)
【手続補正１】
【補正対象書類名】実用新案登録請求の範囲
【補正対象項目名】全文
【補正方法】変更
【補正の内容】
【実用新案登録請求の範囲】
【請求項１】
衣服本体（１）と首回りを備え、
衣服本体（１）の内側に、首回りに隣接して設けられ、着用者の首と衣服本体（１）の内側との間に導流穴（３）を形成するための支持部材（２）を備えることを特徴とする導流機能を備える冷却服。
【請求項２】
前記の導流機能を備える冷却服は、衣服本体（１）の内側に設けられた取付片（４）をさらに備え、支持部材（２）は衣服本体（１）と取付片（４）との間に設けられることを特徴とする請求項１に記載の導流機能を備える冷却服。
【請求項３】
支持部材（２）は、直線形状と円弧形状の２つの形態を有する記憶鋼板として設定されることを特徴とする請求項２に記載の導流機能を備える冷却服。
【請求項４】
記憶鋼板が円弧形状である場合、記憶鋼板の凸面側が着用者の首に当接することを特徴とする請求項３に記載の導流機能を備える冷却服。
【請求項５】
記憶鋼板が円弧形状である場合、記憶鋼板の凹面側が着用者の首に面することを特徴とする請求項３に記載の導流機能を備える冷却服。
【請求項６】
取付片（４）と衣服本体（１）との間に、支持部材（２）を取付片（４）と衣服本体（１）との間に伸縮させるための切り欠き（５）が形成されることを特徴とする請求項２に記載の導流機能を備える冷却服。
【請求項７】
支持部材（２）が円弧形状の支持板として設けられ、支持板の凹面側または凸面側が衣服本体（１）の内側に取り外し可能に設けられることを特徴とする請求項１に記載の導流機能を備える冷却服。
【請求項８】
前記の導流機能を備える冷却服は、面ファスナーをさらに備え、面ファスナーの子面（６１）が支持板の凹面側または凸面側に設けられ、面ファスナーの母面（６２）が衣服本体（１）の内側に設けられることを特徴とする請求項７に記載の導流機能を備える冷却服。
【手続補正２】
【補正対象書類名】明細書
【補正対象項目名】００１１
【補正方法】変更
【補正の内容】
【００１１】
本考案において、上記の導流機能を備える冷却服は、面ファスナーをさらに備え、面ファスナーの子面が支持板の凹面側または凸面側に設けられ、面ファスナーの母面が衣服本体の内側に設けられる。
上記の技術的解決手段を採用することにより、取り外し可能な支持板が実現され、支持板を取り付ける場合、支持板の子面を衣服本体の内側の母面に接着すればよいが、支持板を衣服本体の内側から取り外す場合、支持板の子面に沿って、支持板を衣服本体の内側から剥がせばよい。
【手続補正３】
【補正対象書類名】明細書
【補正対象項目名】００２４
【補正方法】変更
【補正の内容】
【００２４】
他の実施例において、支持板によって形成される円弧の長さはさらに、全円周の１５分の５から１５分の１２の間の任意の数値であってもよい。
支持板の凹面側は、衣服本体１の内側に取り外し可能に取り付けられる。支持板を取り外し可能に取り付けるために、面ファスナーが設けられ、面ファスナーの子面６１は接着剤によって支持板の凹面側に取り付けられ、面ファスナーの母面６２は衣服本体１の内側に取り付けられる。
他の実施例において、さらに、面ファスナーの子面６１は衣服本体１の内側に取り付けられ、面ファスナーの母面６２は支持板の内側に取り付けられてもよい。
【手続補正４】
【補正対象書類名】明細書
【補正対象項目名】００２６
【補正方法】変更
【補正の内容】
【００２６】
実施例４
図８を参照すると、実施例３との相違点は、支持板の凸面側が衣服本体１の内側に取り外し可能に取り付けられ、面ファスナーの子面６１が接着剤によって支持板の凸面側に取り付けられ、面ファスナーの母面６２が衣服本体１の内側に取り付けられることである。
他の実施例において、さらに、面ファスナーの子面６１は衣服本体１の内側に取り付けられ、面ファスナーの母面６２は支持板の凸面側に取り付けられてもよい。